(57)【特許請求の範囲】
【請求項１】
異なる波長のレーザ光を出力する複数の光ピックアップ用レーザダイオードを備えると共に、
１つの発振回路を、前記複数のレーザダイオードに対する高周波電流供給源として共用し、
前記発振回路を構成するインダクタと、前記各レーザダイオードに接続されて電源側への高周波の戻りを防止するインダクタの少なくとも一部のものとを誘導結合してレーザダイオードへ高周波を加える構成とした
ことを特徴とする光ピックアップ用高周波重畳モジュール。
【請求項２】
異なる波長のレーザ光を出力する複数の光ピックアップ用レーザダイオードを備えると共に、
１つの発振回路を、前記複数のレーザダイオードに対する高周波電流供給源として共用し、
前記発振回路の電源側への高周波の戻りを防止するインダクタと、前記各レーザダイオードに接続されて電源側への高周波の戻りを防止するインダクタの少なくとも一部のものとを誘導結合してレーザダイオードへ高周波を加える構成とした
ことを特徴とする光ピックアップ用高周波重畳モジュール。
【請求項３】
請求項１または２の光ピックアップ用高周波重畳モジュールにおいて、
前記複数のレーザダイオードが、同一基板に各レーザダイオードを一体に形成した構造を有する
ことを特徴とする光ピックアップ用高周波重畳モジュール。
【請求項４】
請求項１から３までのいずれかの光ピックアップ用高周波重畳モジュールにおいて、
前記発振回路の出力である高周波を、少なくとも一部のレーザダイオードに対してコンデンサを介して加える構成とした
ことを特徴とする光ピックアップ用高周波重畳モジュール。
【発明の詳細な説明】
【０００１】
【発明の属する技術分野】
本発明は、ＤＶＤ、ＭＤ、ＣＤ等のような光記録媒体を用いた情報記録再生装置に備えられる光ピックアップ用高周波重畳モジュールに関する。
【０００２】
【従来の技術】
光ピックアップによる再生動作時には、戻り光ノイズによりレーザノイズが誘起される。このレーザノイズの発生を防止するため、特公昭５９-９０８６号公報には、レーザダイオードを駆動する直流電流に高周波電流を重畳してマルチモードで駆動することが開示されている。図５（Ａ）はこの高周波電流を重畳して駆動する高周波重畳モジュールの従来の回路構成を示すブロック図である。
【０００３】
図５（Ａ）において、１はレーザダイオード、２はこれらを駆動するための高周波重畳モジュールである。高周波重畳モジュール２は、レーザダイオード１にフィルタ３を介して直流電流を供給するための電源端子４と、レーザダイオード１に高周波電流を供給するための発振回路５と、該発振回路５の直流電源端子６と、発振した高周波が電源端子６側に戻ることを防止するフィルタ７と、発振回路とレーザダイオード１側の回路とのインピーダンス整合をとり反射を防止するためのインピーダンス整合回路８とを有している。
【０００４】
発振回路５は、ＬＣ共振現象を用いた発振回路を構成するもので、数百ＭＨｚの周波数で発振し、電源端子４からの直流電流に高周波電流を重畳してレーザダイオード１を駆動する。これにより、レーザダイオード１により発生する光出力は一定波長間隔の複数の波長においてピークが存在してそのピークの包絡線が山状をなす出力が得られる。すなわちレーザ光の縦モードがマルチ化され、前記モードポッピングノイズが防止される。
【０００５】
【発明が解決しようとする課題】
１つの光ピックアップの中にＤＶＤ用、ＣＤ用など出力レーザー光の波長が異なる複数のレーザダイオードを備える必要がある。このような複数のレーザダイオードを有する場合、２つのレーザダイオードを配置する場合と、図５（Ｂ）に示すように、１つの基板９に接着層１０を介してＤＶＤ用レーザダイオード１ＡとＣＤ用レーザダイオード１Ｂを配置したものと、図５（Ｃ）に示すように、１つの基板１１上にＤＶＤ用レーザダイオード１ＡとＣＤ用レーザダイオード１Ｂとを一体に形成し、これを基板９に取付けたものとがある。図５（Ｂ）、（Ｃ）に示すように、１つの基板上に２つのレーザダイオードを設けたものは、小型化する上で有効であり、また、直交するレーザー光を同方向に導くための素子が不要になるという利点がある。
【０００６】
なかでも、図５（Ｃ）のように、１つの基板１１上に２つのレーザダイオード１Ａ、１Ｂを形成したものは、これらのレーザダイオード１Ａ、１Ｂ間の間隔を狭くしかも正確に設定することができ、このために図５（Ｂ）に示すように接着による場合に比較して、位置調整等のための手段が不要になるという利点がある。
【０００７】
出力レーザー光が直交するように２つのレーザダイオードを配置する場合と、図５（Ｂ）に示すレーザダイオードの配置の場合、個々のレーザダイオードは独立に作製される。このような場合、ＣＤ用レーザダイオード１Ｂについては、自励発振を利用することにより、前記発振回路５が必ずしも必要でない場合が生じるが、図５（Ｃ）に示すように、同一基板９上に２つのレーザダイオード１Ａ、１Ｂを形成する場合、材質等の関係上、ＣＤ用のレーザダイオード１Ｂも発振回路５により発生する高周波電流を直流電流に重畳して該レーザダイオード１Ｂに供給する必要がある。この場合、各レーザダイオードごとにレーザダイオードに対応する発振回路を設けると、構成する部品数が多くなり、コストアップになる上、小型化が困難になるという問題点があった。
【０００８】
本発明は、上記問題点に鑑み、光ピックアップ用の複数のレーザダイオードを備え、直流電流に高周波電流を重畳してレーザダイオードに流す光ピックアップ用高周波重畳モジュールにおいて、構成が簡略化され、小型化、コスト削減が図れるものを提供することを目的とする。
【０００９】
【課題を解決するための手段】
請求項１の光ピックアップ用高周波重畳モジュールは、異なる波長のレーザ光を出力する複数の光ピックアップ用レーザダイオードを備えると共に、
１つの発振回路を、前記複数のレーザダイオードに対する高周波電流供給源として共用し、
前記発振回路を構成するインダクタと、前記各レーザダイオードに接続されて電源側への高周波の戻りを防止するインダクタの少なくとも一部のものとを誘導結合してレーザダイオードへ高周波を加える構成とした
ことを特徴とする。
【００１０】
請求項２の光ピックアップ用高周波重畳モジュールは、異なる波長のレーザ光を出力する複数の光ピックアップ用レーザダイオードを備えると共に、
１つの発振回路を、前記複数のレーザダイオードに対する高周波電流供給源として共用し、
前記発振回路の電源側への高周波の戻りを防止するインダクタと、前記各レーザダイオードに接続されて電源側への高周波の戻りを防止するインダクタの少なくとも一部のものとを誘導結合してレーザダイオードへ高周波を加える構成とした
ことを特徴とする。
【００１１】
このように、１つの発振回路により発生する高周波電流を複数のレーザダイオードに流すように構成すれば、発振回路が１つですみ、部品点数が減少すると共に構成が簡略化され、小型化とコスト削減が図れる。
【００１２】
また、発振回路あるいは発生高周波の電源への戻りを防止するインダクタと、レーザダイオードに直列に接続されたインダクタとを誘導結合することによってレーザダイオードへ高周波を加えるように構成したので、さらに部品点数を減少させることが可能になると共に、構成が簡略化され、小型化とコスト削減が図れる。
【００１３】
請求項３の光ピックアップ用高周波重畳モジュールは、請求項１または２において、
前記複数のレーザダイオードが、同一基板に各レーザダイオードを一体に形成した構造を有する
ことを特徴とする。
【００１４】
このように、前記発振回路の構成を基板に複数のレーザダイオードを形成したものに適用することにより、全体として構成部材のさらなる削減が可能となり、さらなる小型化、コスト削減が可能になる。
【００１５】
請求項４の光ピックアップ用高周波重畳モジュールは、請求項１から４までのいずれかにおいて、
前記発振回路の出力である高周波を、少なくとも一部のレーザダイオードに対してコンデンサを介して加える構成とした
ことを特徴とする。
【００１６】
【発明の実施の形態】
図１は本発明による光ピックアップ用高周波重畳モジュールの一実施の形態を示すブロック図、図２はその参考例を示す回路図である。図１において、１Ａは光ピックアップ用レーザダイオード、１３はこれらを駆動するための高周波重畳モジュールである。高周波重畳モジュール１３は、それぞれレーザダイオード１Ａ、１Ｂにフィルタ３Ａ、３Ｂを介して直流電流を供給するための電源端子４Ａ、４Ｂと、レーザダイオード１Ａ、１Ｂに共通に高周波電流を供給するための発振回路５と、該発振回路５の直流電源端子６と、発振した高周波が電源端子６側に戻ることを防止するフィルタ７と、発振回路とレーザダイオード１側の回路とを電気的に結合するインピーダンス整合回路１２とからなる。
【００１７】
図２に示すように、前記レーザダイオード１Ａ、１Ｂに接続されたフィルタ３Ａ、３Ｂはインダクタにより構成される。また、発振回路５に接続された前記フィルタ７は、インダクタＬ１とコンデンサＣ１とからなる。前記発振回路５は、トランジスタＱからなる能動素子と、コンデンサＣ２〜Ｃ４、インダクタＬ２および抵抗Ｒ１〜Ｒ３の受動素子からなる。該発振回路５は、インダクタＬ２とコンデンサＣ２〜Ｃ４からなる共振現象を利用したものである。インピーダンス整合回路１２は、レーザダイオード１Ａに対して発振回路５の出力を加えるためのコンデンサＣ５、Ｃ６と、レーザダイオード１Ｂに対して発振回路５の出力を加えるためのコンデンサＣ７、Ｃ８とからなる。
【００１８】
この構成において、ＤＶＤ用として光ピックアップを用いる場合は、直流電源端子４Ａよりレーザダイオード１Ａに直流電流を供給すると同時に、電源端子６より発振回路５に電源を供給して発振させる。該発振回路５は数百ＭＨｚの高周波で発振し、コンデンサＣ５、Ｃ６からなるインピーダンス整合回路を介してレーザダイオード１Ａに高周波電流を供給する。これにより、レーザダイオード１Ａにより発生するレーザ光の縦モードがマルチ化し、レーザノイズの発生が防止される。この場合、コンデンサＣ７、Ｃ８を介してＣＤ用レーザダイオード１Ｂにも高周波電流が供給されるが、直流電源端子４Ｂから直流電流が供給されないので発光しない。
【００１９】
ＣＤ用として光ピックアップを用いる場合は、直流電源端子４Ｂよりレーザダイオード１Ｂに直流電流を供給すると同時に、電源端子６より発振回路５に電源を供給して発振させる。発振回路５の出力高周波電流は、コンデンサＣ７、Ｃ８を介してＣＤ用レーザダイオード１Ｂに供給され、レーザノイズの発生が防止される。
【００２０】
このように、発振回路５をＤＶＤ用、ＣＤ用レーザダイオード１Ａ、１Ｂに共用することにより、発振回路が１つですみ、部品点数が減少すると共に構成が簡略化され、小型化とコスト削減が図れる。
【００２１】
特に図５（Ｃ）に示したように、１つの基板１１に複数のレーザーダイオード１Ａ、１Ｂを形成した構成のものは、構成部材が削減できるから、このレーザーダイオードの構成に本発明の発振回路５の数の削減を加えることにより、さらなる部品点数の削減、小型化、コスト削減が図れる。
【００２２】
図３は本発明の一実施例を示す回路図であり、この実施例でもインダクタＬ２とコンデンサＣ２〜Ｃ４からなる共振現象を利用する。この発振回路においては、発振回路５を構成するインダクタＬ２と、レーザダイオード１Ａ、１Ｂに直列に接続されたインダクタ３Ａ、３Ｂと誘導結合（Ｍ）により結合してレーザダイオード１Ａ、１Ｂに高周波電流を供給するものである。
【００２３】
本実施例においても前記と同様のレーザノイズ低減効果を奏することができる。さらに、本実施例においては、共振現象を起こすインダクタＬ２と、電源側への高周波の戻りを防止するインダクタ３Ａ、３Ｂとを誘導結合して高周波をレーザダイオード１Ａ、１Ｂに加えているので、図２の参考例に比較して、前記インピーダンス整合回路１２の一部のコンデンサＣ５、Ｃ７とが削減でき、さらなる部品点数の削減、構成の簡略化、小型化、コスト削減が可能になるという長所がある。なお、レーザダイオード１Ａ、１Ｂの一方については、図２の構成のように、コンデンサＣ５またはＣ７による容量結合容量によって高周波をレーザダイオード１Ａまたは１Ｂに加えるようにしてもよい。
【００２４】
図４は本発明の他の実施例を示す回路図であり、この実施例は、前記レーザダイオード１Ａと発振回路５とをコンデンサＣ５、Ｃ６により結合し、発振回路５とレーザダイオード１Ｂとは、前記フィルタ７を構成するインダクタＬ１と、レーザダイオード１Ｂに直列に接続したインダクタ３Ｂとを誘導結合により結合してなるものである。この構成においても、インダクタ３Ｂに誘起される高周波により、レーザダイオード１Ｂに高周波電流が供給される。
【００２５】
本実施例においても前記と同様のレーザノイズ効果を奏することができる。また、本実施例においても、図２の参考例に比較して、コンデンサＣ７が省略でき、部品点数の削減、構成の簡略化、小型化、コスト削減が可能になるという長所がある。なお、図４において、インダクタＬ１とインダクタ３Ａも誘導結合させてもよい。
【００２６】
本発明は、レーザダイオードがＤＶＤ用、ＣＤ用のレーザダイオードのみならず、ＭＤ用あるいはその他のレーザダイオードを含む複数のレーザダイオードを備えた光ピックアップにも適用することができる。
【００２７】
【発明の効果】
請求項１、２、４によれば、発振回路が１つですみ、部品点数が減少すると共に構成が簡略化され、小型化とコスト削減が図れる。
【００２８】
また、発振回路あるいは発生高周波の電源への戻りを防止するインダクタと、レーザダイオードに直列に接続されたインダクタとを誘導結合することによってレーザダイオードへ高周波を加えるように構成したので、さらに部品点数が削減できると共に構成が簡略化され、小型化とコスト削減が図れる。
【００２９】
請求項３によれば、前記発振回路の構成を基板に複数のレーザダイオードを形成したものに適用することにより、全体として構成部材のさらなる削減が可能となり、さらなる小型化、コスト削減が可能になる。
【図面の簡単な説明】
【図１】本発明による高周波重畳モジュールの一実施の形態を示すブロック図である。
【図２】図１の高周波重畳モジュールの参考例を示す回路図である。
【図３】本発明による高周波重畳モジュールの一実施例を示すブロック図である。
【図４】本発明による高周波重畳モジュールの他の実施例を示すブロック図である。
【図５】（Ａ）は従来の高周波重畳モジュールの一例を示すブロック図、（Ｂ）、（Ｃ）はそれぞれ従来の複数のレーザダイオードの組み合わせ構造を示す側面図である。
【符号の説明】
１Ａ、１Ｂ：レーザダイオード、３Ａ、３Ｂ：フィルタ（インダクタ）、４Ａ、４Ｂ：直流電源端子、５：発振回路、６：電源端子、７：フィルタ、９、１１：基板、１０：接着部、１２：インピーダンス整合回路、１３：高周波重畳モジュール
【図１】
0003786348.tif 000002
【図２】
0003786348.tif 000003
【図３】
0003786348.tif 000004
【図４】
0003786348.tif 000005
【図５】
0003786348.tif 000006